(57)【特許請求の範囲】
【請求項１】
ドア本体と、このドア本体の車室側の面に取り付けられるドアグリップとを備え、このドアグリップが、前記ドア本体の車室側の面に沿うよう設けられるグリップ基体と、このグリップ基体における前記ドア本体側の面に突設されてこのドア本体に係止される係止フックと、前記グリップ基体を車室側から覆うと共に前記ドア本体側に取り付けられるグリップカバーとを有した車両用ドアにおいて、
前記グリップカバーにおける前記グリップ基体側の面にリブを突設し、前記ドア本体に対する係止を解除しようとして移動する前記係止フックの移動方向での前面に、前記リブを近接させ、
前記グリップカバーの前記グリップ基体側の面と前記リブの基部とによって隅部が形成され、
前記隅部は、前記グリップカバーが車外側に向けて押圧されたときに、前記係止フックにおける基部側の面に当接するとともに、前記係止フックを前記ドア本体側に押圧する当接面を有する
ことを特徴とする車両用ドア。
【発明の詳細な説明】
【技術分野】
【０００１】
本発明は、ドア本体の車室側の面に取り付けられ、車室の乗員が把持可能とするドアグリップを備えた車両用ドアに関するものである。
【背景技術】
【０００２】
上記車両用ドアには、従来、下記特許文献１に示されるものがある。この公報のものによれば、車両用ドアは、このドアの躯体とされるドア本体と、このドア本体の車室側の面に取り付けられるドアグリップとを備えている。このドアグリップは、上記ドア本体の車室側の面に締結具により取り付けられるグリップ基体と、このグリップ基体を車室側から覆うと共にこのグリップ基体に取り付けられるグリップカバーとを有している。
【０００３】
そして、上記ドアを開閉動作させたり車室のシート上の乗員が自身の姿勢を変化させたりすることは、上記ドアグリップを把持することによって、より容易にできることとされる。この場合、上記グリップカバーは、ドアグリップの把持のフィーリングを向上させ、かつ、ドアグリップの見栄えを向上させるものとされる。
【先行技術文献】
【特許文献】
【０００４】
【特許文献１】特開平９−２４９０６１号公報
【発明の概要】
【発明が解決しようとする課題】
【０００５】
ところで、前記従来の技術では、ドア本体へのグリップ基体の取り付けは締結具によりなされているが、従来、これに加え、もしくはこれに代えて、上記ドア本体へのグリップ基体の組み付けが容易にできるようにするため、このグリップ基体に突設した係止フックを上記ドア本体に係止させることにより、このドア本体にグリップ基体を取り付けるようにしたものが提案されている。
【０００６】
しかし、上記構成によれば、ドアの開閉動作のためにドアグリップを把持する場合など、このドアグリップに大きい外力を与えた場合には、上記ドア本体に対する上記係止フックの係止状態が不意に解除されて、上記ドア本体から上記グリップ基体が位置ずれしたり脱落したりするおそれを生じる。
【０００７】
そこで、上記したグリップ基体の係止状態をより確実に維持するため、上記係止フックの数を増やしたり、ドア本体への係止フックの係り代を、より大きくすることが考えられる。しかし、このようにすると、上記ドアの構成が複雑になり、ドア本体へのグリップ基体の組み付けが煩雑になってドアの組立作業が煩雑になりがちであり、好ましくない。
【課題を解決するための手段】
【０００８】
本発明は、上記のような事情に注目してなされたもので、本発明の目的は、ドア本体に対しドアグリップのグリップ基体を係止フックにより係止させた場合において、上記ドアグリップを把持してこのドアグリップに大きい外力を与えた場合でも、上記ドア本体へのグリップ基体の係止状態が、より確実に維持されるようにすることであり、また、これが、ドアの構成が複雑になったり、ドアの組立作業が煩雑になったりすることを防止しつつ達成できるようにすることである。
【０００９】
請求項１の発明は、ドア本体２と、このドア本体２の車室３側の面に取り付けられるドアグリップ５とを備え、このドアグリップ５が、前記ドア本体２の車室３側の面に沿うよう設けられるグリップ基体１９と、このグリップ基体１９における前記ドア本体２側の面に突設されてこのドア本体２に係止される係止フック２１と、前記グリップ基体１９を車室３側から覆うと共に前記ドア本体２側に取り付けられるグリップカバー２５とを有した車両用ドアにおいて、
前記グリップカバー２５における前記グリップ基体１９側の面にリブ３３を突設し、前記ドア本体２に対する係止を解除しようとして移動する前記係止フック２１の移動方向Ａでの前面２１ａに、前記リブ３３を近接させ、前記グリップカバー２５の前記グリップ基体１９側の面と前記リブ３３の基部とによって隅部が形成され、前記隅部は、前記グリップカバー２５が車外側に向けて押圧されたときに、前記係止フック２１における基部側の面に当接するとともに、前記係止フック２１を前記ドア本体２側に押圧する当接面を有することを特徴とする車両用ドアである。
【００１０】
なお、この項において、上記各用語に付記した符号や図面番号は、本発明の技術的範囲を後述の「実施例」の項や図面の内容に限定解釈するものではない。
【発明の効果】
【００１１】
本発明による効果は、次の如くである。
【００１２】
請求項１の発明は、ドア本体と、このドア本体の車室側の面に取り付けられるドアグリップとを備え、このドアグリップが、前記ドア本体の車室側の面に沿うよう設けられるグリップ基体と、このグリップ基体における前記ドア本体側の面に突設されてこのドア本体に係止される係止フックと、前記グリップ基体を車室側から覆うと共に前記ドア本体側に取り付けられるグリップカバーとを有した車両用ドアにおいて、
前記グリップカバーにおける前記グリップ基体側の面にリブを突設し、前記ドア本体に対する係止を解除しようとして移動する前記係止フックの移動方向での前面に、前記リブを近接させ、前記グリップカバーの前記グリップ基体側の面と前記リブの基部とによって隅部が形成され、前記隅部は、前記グリップカバーが車外側に向けて押圧されたときに、前記係止フックにおける基部側の面に当接するとともに、前記係止フックを前記ドア本体側に押圧する当接面を有している。
【００１３】
このため、上記ドアグリップを把持してこのドアグリップに大きい外力を与えた場合などにおいて、上記係止フックがドア本体に対する係止を解除する移動方向に移動しようとしても、このような係止フックの移動は、この係止フックの前面が上記突起に当接することによって阻止され、つまり、上記係止フックによる係止が不意に解除されることは阻止される。
【００１４】
よって、上記ドア本体へのグリップ基体の係止状態がより確実に維持されることから、上記ドアグリップを把持してのドアの開閉操作など、このドアへの操作が強度的に安定した状態で円滑かつ容易にできると共に、ドアグリップの把持のフィーリングが向上する。
【００１５】
そして、上記したドア本体に対するグリップ基体の係止状態の確実な維持は、上記グリップカバーの剛性向上のために設けたリブを利用することにより達成される。このため、上記係止状態の維持のために、係止フックの数を増やしたり、ドア本体への係止フックの係り代を大きくしたりしないで足りる。よって、その分、上記係止状態の確実な維持は、ドアの構成が複雑になったり、ドアの組立作業が煩雑になったりすることを防止しつつ達成できる。
【図面の簡単な説明】
【００１６】
【図１】図３のI−I線矢視拡大断面図である。
【図２】ドアの簡略斜視図である。
【図３】ドアグリップを車室側から見た側面図である。
【図４】図３のIV−IV線矢視断面図である。
【図５】図１で示したものの斜視図である。
【発明を実施するための形態】
【００１７】
本発明の車両用ドアに関し、そのドア本体に対しドアグリップのグリップ基体を係止フックにより係止させた場合において、上記ドアグリップを把持してこのドアグリップに大きい外力を与えた場合でも、上記ドア本体へのグリップ基体の係止状態が、より確実に維持されるようにする、という目的を実現するため、本発明を実施するための形態は、次の如くである。
【００１８】
即ち、車両用ドアは、ドア本体と、このドア本体の車室側の面に取り付けられるドアグリップとを備える。このドアグリップは、上記ドア本体の車室側の面に沿うよう設けられるグリップ基体と、このグリップ基体における上記ドア本体側の面に突設されてこのドア本体に係止される係止フックと、上記グリップ基体を車室側から覆うと共に上記ドア本体側に取り付けられるグリップカバーとを有している。上記グリップカバーにおける上記グリップ基体側の面にリブが突設される。上記ドア本体に対する係止を解除しようとして移動する上記係止フックの移動方向での前面に、上記リブが近接させられる。
【実施例】
【００１９】
本発明をより詳細に説明するために、その実施例を添付の図に従って説明する。
【００２０】
図において、符号１は、自動車で例示される車両用のサイドドアであり、このドア１は、車体の側壁に形成されたドア開口を開閉可能とするものである。また、矢印Ｆｒは、この車両の進行方向の前方を示している。
【００２１】
上記ドア１は、ドア本体２と、このドア本体２における車体内部の車室３側の面に取り付けられ、この車室３の付属品として周知のドアロック操作部やパワーウィンドスイッチを支持する支持体４と、上記ドア本体２の車室３側の面に取り付けられ、車室３の乗員が把持可能とするドアグリップ５とを備えている。
【００２２】
上記ドア本体２は、板金製のアウタ、インナパネルを互いに結合することにより形成されるドア躯体７と、このドア躯体７の車室３側の面を覆うようこの面に取り付けられる樹脂製のドアトリム８とを有している。このドアトリム８には、車体側面視（図３）で円形の開口１１が形成される。また、この開口１１の車体後方側における上記ドアトリム８の後部には、車体外側方に向かって凹み、かつ、車体の前後方向に延びる凹溝１２が形成されている。この凹溝１２は、上記ドアグリップ５を把持するときの手と肘とを挿入可能とするもので、この挿入により、上記ドアグリップ５の把持が容易にできることとされる。
【００２３】
前記支持体４は、樹脂製で、車体側面視（図３）で円板形状をなしている。そして、この支持体４は、上記開口１１を車室３側から閉じるよう上記ドアトリム８における上記開口１１の開口縁部に取り付けられる。上記支持体４を上記ドアトリム８に取り付ける際、このドアトリム８の所定位置に上記支持体４を位置決めする複数の位置決め具１５と、上記支持体４に一体的に突設され、上記開口１１の開口縁部に係止されて上記支持体４を上記ドアトリム８に取り付け可能とする複数の係止フック１６とが設けられている。なお、上記係止とは、係脱可能に係止されることを意味し、以下同じとする。
【００２４】
前記ドアグリップ５は、上記ドア本体２のドアトリム８の車室３側の面に沿い、上記凹溝１２の前部を跨ぐよう上下方向に長く延びる樹脂製のグリップ基体１９を有している。このグリップ基体１９は、上記支持体４の後部に一体的に形成されている。上記グリップ基体１９は、上下方向で複数（３つ）の締結具２０による締結により上記ドア本体２におけるドア躯体７のインナパネルやドアトリム８に取り付けられる。また、上記ドアグリップ５は、上記グリップ基体１９の下部における上記ドア本体２側の面に一体的に突設される係止フック２１を有し、この係止フック２１は、上記ドア本体２のドアトリム８に形成された係止孔２２に係止される。上記締結具２０に加えての上記係止フック２１による係止により、上記グリップ基体１９は上記ドアトリム８に、より強固に取り付けられる。
【００２５】
上記ドアグリップ５は、上記グリップ基体１９を車室３側から全体的に覆う樹脂製で板形状のグリップカバー２５を有している。このグリップカバー２５の外縁部から上記ドア本体２のドアトリム８側に向かって一体的に突出する複数（５つ）の他の係止フック２６，２７が設けられる。これら他の係止フック２６，２７のうち、一部（３つ）の係止フック２６は上記ドアトリム８に形成された他の係止孔２８に係止され、他部（２つ）の係止フック２７は上記グリップ基体１９に形成された他の係止孔２９に係止される。これら他の係止フック２６，２７の係止により、上記グリップカバー２５は、上記ドア本体２のドアトリム８に直接取り付けられると共に、上記グリップ基体１９を介し上記ドアトリム８（ドア本体２側）に間接的に取り付けられる。
【００２６】
上記グリップカバー２５の面方向の中途部の上記グリップ基体１９側の面に複数の突起３２が一体的に突設される。これら各突起３２の突出端は上記グリップ基体１９に当接（圧接含む）している。これにより、上記グリップ基体１９に対し、グリップカバー２５ががたつくことは防止されると共に、ドアグリップ５を把持した際の外力に対抗する剛性が上記グリップカバー２５に与えられる。
【００２７】
また、上記グリップカバー２５の下部における面方向の中途部の上記グリップ基体１９側の面に補強用のリブ３３が一体的に突設され、このリブ３３によって上記グリップカバー２５の剛性が向上させられる。この場合、ドア本体２のドアトリム８に対する係止を解除しようとして移動する上記係止フック２１の移動方向Ａでの前面２１ａに、上記リブ３３が近接させられている。具体的には、このリブ３３は、上記係止フック２１の前面２１ａにわずかの隙間をあけて近接配置されている。なお、上記近接とは、当接や圧接を含む概念であり、以下同じとする。
【００２８】
上記構成によれば、ドアグリップ５を把持してこのドアグリップ５に大きい外力を与えた場合などにおいて、上記係止フック２１がドア本体２のドアトリム８に対する係止を解除する移動方向Ａに移動しようとしても、このようなの係止フック２１の移動は、この係止フック２１の前面２１ａが上記突起３２に当接することによって阻止され、つまり、上記係止フック２１による係止が不意に解除されることは阻止される。
【００２９】
よって、上記ドア本体２へのグリップ基体１９の係止状態がより確実に維持されることから、上記ドアグリップ５を把持してのドア１の開閉操作など、このドア１への操作が強度的に安定した状態で円滑かつ容易にできると共に、ドアグリップ５の把持のフィーリングが向上する。
【００３０】
そして、上記したドア本体２に対するグリップ基体１９の係止状態の確実な維持は、上記グリップカバー２５の剛性向上のために設けたリブ３３を利用することにより達成される。このため、上記係止状態の維持のために、係止フック２１の数を増やしたり、ドア本体２への係止フック２１の係り代を大きくしたりしないで足りる。よって、その分、上記係止状態の確実な維持は、ドア１の構成が複雑になったり、ドア１の組立作業が煩雑になったりすることを防止しつつ達成できる。
【００３１】
また、上記グリップカバー２５のグリップ基体１９側の面と上記リブ３３の基部との隅部には円弧凹面３５が形成され、この円弧凹面３５は上記係止フック２１の基部側に近接している。そして、上記ドアグリップ５を把持してこのドアグリップ５のグリップカバー２５に外力Ｂを与えるとき、このグリップカバー２５がわずかに弾性変形し、この変形に伴い上記円弧凹面３５が上記係止フック２１を押圧して、このフック２１が係止孔２２に係止する方向に向かって移動させられるようになっている。
【００３２】
このため、上記ドアグリップ５を把持してこのドアグリップ５に大きい外力Ｂを与えた場合には、上記ドア本体２へのグリップ基体１９の係止状態が更に確実に維持されることとなる。
【００３３】
また、図１中二点鎖線と図５とで示すように、上記ドア本体２側に対しその外方からグリップカバー２５を組み付けるとき、このグリップカバー２５をドア本体２側に接近させるに従って、上記係止フック２１の前面２１ａに上記グリップカバー２５のリブ３３を摺接など近接させれば、上記グリップ基体１９側へのグリップカバー２５の位置決めが容易にできる。よって、上記ドア１の組立作業が、より容易にできることから、上記リブ３３の実用性は極めて大きい。
【００３４】
また、上記ドアグリップ５を把持してドア１の開閉操作をする場合、上記ドアグリップ５に入力される捩りなどの外力には、ある程度、一定の法則があるため、このような外力に基づくグリップ基体１９やグリップカバー２５の弾性変形を利用して上記係止フック２１が係止孔２２に係止する方向に移動するようにしてやれば、上記ドア本体２へのグリップ基体１９の係止状態は更に確実に維持される。
【００３５】
なお、上記ドアグリップ５はドア本体２のドア躯体７とドアトリム８とのうち、ドア躯体７に取り付けるようにしてもよい。また、上記ドア本体２にグリップカバー２５を締結させるための上記締結具２０はなくてもよい。また、上記グリップカバー２５は、上記ドア本体２と、このドア本体２に取り付けられたグリップ基体１９とのうち、いずれか一方にのみ取り付けるようにしてもよい。また、上記円弧凹面３５は形成しなくてもよい。
【符号の説明】
【００３６】
１    ドア
２    ドア本体
３    車室
４    支持体
５    ドアグリップ
７    ドア躯体
８    ドアトリム
１９  グリップ基体
２０  締結具
２１  係止フック
２１ａ  前面
２２  係止孔
２５  グリップカバー
３２  突起
３３  リブ
３５  円弧凹面
Ａ    移動方向
Ｂ    外力
【図１】
0005998629.tif 000002
【図２】
0005998629.tif 000003
【図３】
0005998629.tif 000004
【図４】
0005998629.tif 000005
【図５】
0005998629.tif 000006